(57)【要約】【課題】  継手本体の接続筒部に挿入した管体を人為的に傾斜させるだけでその管体に容易に水流れ勾配を付与することが可能であって、多層住宅の縦管に新設の排水管を接続するときに有利に使用することのできる継手を提供する。【解決手段】  接続筒部１２と、その接続筒部１２に挿入した管体２００を支える弾力性を有するパッキン８とを有する継手本体１と、パッキン８を軸方向に圧縮して管体２００の端部管壁に密着させるパッキン押圧部材７とを備える。接続筒部１２に、管体２００を傾けて水流れ勾配を付与したときの端部管壁の振れ代吸収スペースを形成する径大空間部１７を設ける。【選択図】        図２
2006177408.tif 000002
【特許請求の範囲】
【請求項１】
相手方管としての主管の管壁に開設された通口に連通される連通路を形成する接続筒部と、その接続筒部に挿入された管体の端部管壁に外嵌合してその管体を支える弾力性を有するパッキンとを有して上記主管に取り付けられる継手本体と、上記接続筒部に結合されて上記パッキンを軸方向に圧縮することによりそのパッキンを上記管体の端部管壁に密着させるパッキン押圧部材とを備え、
上記継手本体の接続筒部に、当該接続筒部に挿入した上記管体を上記パッキンの変形を伴わせて傾けることによりその管体に水流れ勾配を付与したときの上記端部管壁の振れ代吸収スペースを形成する径大空間部が設けられていることを特徴とする継手。
【請求項２】
上記パッキンが上記接続筒部の端部内周面に形成された外拡がりテーパ状のパッキン座面に重なり合い、上記径大空間部が上記パッキン座面の内端に連続する円筒状内壁面の囲繞空間部によって形成され、上記円筒状内壁面の端部に、上記管体の端部を突き当たらせてその管体の差込み代を規制する段付面が形成されている請求項１に記載した継手。
【請求項３】
上記パッキン押圧部材が上記接続筒部にねじ合わされて結合されるナット体と、そのナット体に具備されたパッキン押圧面と上記パッキンとの間に挟み込まれる滑りワッシャとを有する請求項１又は請求項２に記載した継手。
【請求項４】
上記パッキン押圧部材が、上記接続筒部に設けられた鍔部にボルト・ナットによって結合され、かつ、そのボルト・ナットを締め付けることによって上記パッキンを押圧して軸方向に圧縮するパッキン押圧面を備えるフランジ状のグリップによって形成されている請求項１又は請求項２に記載した継手。
【発明の詳細な説明】
【技術分野】
【０００１】
本発明は、継手、特に、相手方管としての主管に管体を接続する場合に、その管体に水流れ勾配を付与するための対策が講じられている継手に関する。
【背景技術】
【０００２】
住宅の水回り場所、たとえばトイレ、台所流し、風呂、洗濯場、流し、洗面所などの水回り場所に排水管を新設して既設の縦管や横引き管といった相手方管としての主管に接続するときには、新設した排水管に、主管に向かう水流れ勾配を付与しておくことが要求される。そして、多層住宅の水回り場所に排水管を新設して既設の縦管に接続するときには従来より次の２つの工法が適宜採用されていた。
【０００３】
そのうちの１つは、縦管の所定箇所を切断して撤去した後、ユニオン継手と分岐継手とを用いて縦管の切除箇所に水流れ勾配を備えた排水管接続口を新設し、その排水管接続口に新設の排水管の端部を接続するというものである（以下これを「切除工法」という）。これに対して、他の１つは、縦管の所定箇所にドリル又はホールソーを使って通口を開設してその通口にねじ加工を行い、その通口の開設箇所にサドルを取り付けて新設の排水管の端部を接続するというものである（以下これを「孔穿け工法」という）。
【０００４】
これらの各工法において、前者の切除工法には、縦管の所定箇所を切断してそこにユニオン継手や分岐継手を取り付けるという手間と時間のかかる作業を必要とするので、工期が長くなるという欠点、縦管の排水を停止する時間が長時間に及んで住民の同意を得ることが難しくなるという欠点、ユニオン継手や分岐継手が高価であるためにコストが高くつくという欠点、などがあると云い得る。これに対し、後者の孔穿け工法は、前者に比べて施工が簡単になるけれども、通口にねじ加工を行うためにその作業が面倒であるという欠点がある。
【０００５】
なお、上記した切除工法や孔穿け工法は、既設の縦管に排水管を新設する場合だけでなく、既設の横引き管に排水管を新設する場合にも行われる。
【０００６】
一方、先行例には、排水継手の排水流路（上記排水管接続口に相当する）に水流れ勾配を付与しておくこと、その排水流路に挿入した排水枝管の端部管壁にＯリングを嵌め込み、そのＯリングを蓋ナットにより締め付けて排水枝管を液密に接続すること、などが記載されている（特許文献１参照）。
【０００７】
【特許文献１】特許第３５７４５７９号公報
【発明の開示】
【発明が解決しようとする課題】
【０００８】
しかしながら、上掲の２つの従来工法のうち、切除工法では、縦管又は横引き管に設置する排水管接続口が水流れ勾配を有しており、そのような排水管接続口に新設の排水管を接続することによって、その排水管に水流れ勾配を付与するというものであるので、新設の排水管に付与される水流れ勾配の許容範囲が狭く制限され、排水管の新設に手間や高度の熟練が必要になるという問題がある。また、孔穿け工法では、縦管の所定箇所にドリル又はホールソーを使って通口を開設したりその通口にねじ加工を行ったりする際に、その通口に水流れ勾配に相当する傾斜角を付与するようにしているので、この工法にも、切除工法の場合と同様に、新設の排水管に付与される水流れ勾配の許容範囲が狭く制限され、排水管の新設に手間や高度の熟練が必要になるという問題がある。
【０００９】
一方、上掲の特許文献１によって提案されている排水継手は、その排水継手の排水流路に水流れ勾配を付与しているので、上記切除工法の場合と同様に新設の排水管に付与される水流れ勾配の許容範囲が狭く制限されて、排水管の新設に手間や高度の熟練が必要になるという問題があると云える。
【００１０】
本発明は以上の問題に鑑みてなされたものであり、新設の排水管などの管体に水流れ勾配を付与して縦管や横引き管といった相手方管としての主管に接続する場合に、管体に容易に水流れ勾配を付与することが可能であるだけでなく、管体に付与される水流れ勾配の許容範囲が必要以上に狭く制限されてしまうという事態を無くして、手間や熟練をそれほど必要とせずに管体を施工することのできる継手を提供することを目的とする。
【課題を解決するための手段】
【００１１】
本発明に係る継手は、相手方管としての主管の管壁に開設された通口に連通される連通路を形成する接続筒部と、その接続筒部に挿入された管体の端部管壁に外嵌合してその管体を支える弾力性を有するパッキンとを有して上記主管に取り付けられる継手本体と、上記接続筒部に結合されて上記パッキンを軸方向に圧縮することによりそのパッキンを上記管体の端部管壁に密着させるパッキン押圧部材とを備えている。そして、上記継手本体の接続筒部に、当該接続筒部に挿入した上記管体を上記パッキンの変形を伴わせて傾けることによりその管体に水流れ勾配を付与したときの上記端部管壁の振れ代吸収スペースを形成する径大空間部が設けられている。
【００１２】
この構成を備える継手によれば、継手本体の接続筒部に挿入した管体を人為的に傾斜させるだけでその管体に容易に水流れ勾配を付与することが可能である。また、継手本体の接続筒部に挿入した管体を傾斜させて水流れ勾配を付与した場合に、その管体の端部管壁が接続筒部の径大空間部内で無理なく振れてその端部管壁の振れ代が吸収される。したがって、接続筒部に水流れ勾配が形成されていなくても、また、主管に水流れ勾配を持つねじ切り加工を行わなくても、パイプレンチなどの回転操作用の工具だけを用いて手間や高度な熟練を要することなく短時間で管体に水流れ勾配を付与することが可能になり、管体に付与される水流れ勾配の許容範囲が必要以上に狭く制限されてしまうという事態も無くなる。また、パッキンは、パッキン押圧部材によって軸方向に圧縮されることによって管体の端部管壁に密着するので、管体を傾斜させて水流れ勾配を付与しても、パッキン設置箇所からの水漏れを生じることはない。
【００１３】
本発明では、上記パッキンが上記接続筒部の端部内周面に形成された外拡がりテーパ状のパッキン座面に重なり合い、上記径大空間部が上記パッキン座面の内端に連続する円筒状内壁面の囲繞空間部によって形成され、上記円筒状内壁面の端部に、上記管体の端部を突き当たらせてその管体の差込み代を規制する段付面が形成されている、という構成を採用することが可能である。これによれば、外拡がりテーパ状のパッキン座面の案内作用により、パッキン押圧部材によるパッキンに対する押圧力がそのパッキンを管体の端部管壁に密着させることに有効に使われる。
【００１４】
本発明では、上記パッキン押圧部材が上記接続筒部にねじ合わされて結合されるナット体と、そのナット体に具備されたパッキン押圧面と上記パッキンとの間に挟み込まれる滑りワッシャとを有する、という構成を採用することが可能であり、これによれば、パッキン押圧部材を接続筒部にねじ込んでパッキンを圧縮させる場合に、パッキン押圧部材の押圧面とパッキンとが直接接触せず、しかも、パッキン押圧部材の回転によってパッキンがその軸線回りにねじられるという事態も起こりにくいので、パッキンの所期性能が損なわれないという利点がある。
【００１５】
本発明では、上記パッキン押圧部材が、上記接続筒部に設けられた鍔部にボルト・ナットによって結合され、かつ、そのボルト・ナットを締め付けることによって上記パッキンを押圧して軸方向に圧縮するパッキン押圧面を備えるフランジ状のグリップによって形成されている、という構成を採用することも可能であり、これによれば、パッキン押圧部材としてのグリップの回転を伴わずにパッキンが圧縮されるので、パッキンがその軸線回りにねじられるという事態が起こらず、パッキンの所期性能が損なわれないという利点がある。
【発明の効果】
【００１６】
以上のように本発明に係る継手によれば、継手本体の接続筒部に挿入した管体を人為的に傾斜させるだけでその管体に容易にしかも短時間でパイプレンチなどの回転操作用工具だけを用いて水流れ勾配を付与することが可能であるだけでなく、新設の排水管などの管体に水流れ勾配を付与して縦管や横引き管といった相手方管としての主管に接続する場合に、管体に付与される水流れ勾配の許容範囲が必要以上に狭く制限されてしまうという事態が無くなって施工を容易に短時間で行うことができるようになる。そのため、手間や熟練をそれほど必要とせずに低コストで水流れ勾配を持つ管体を施工することができるようになる。したがって、この継手は、多層住宅の縦管や横引き管に排水管を新設するような場合に好適に用いることができるものである。
【発明を実施するための最良の形態】
【００１７】
図１左半分は本発明の実施形態に係る継手Ａの平面図、同右半分は本発明の実施形態に係る継手Ａの横断平面図、図２は使用状態の横断平面図、図３は使用状態の正面図、図４は使用状態の側面図である。
【００１８】
図１のように、この継手Ａは、サドル部１１に接続筒部１２を一体に具備させた継手本体１と、この継手本体１のサドル部１１と共働してその継手本体１を相手方管としての主管１００（図２〜図４参照）に取り付けるための取付具５と、継手本体１と取付具５とを締結するための締結用のボルト・ナット６と、継手本体１の上記接続筒部１２に取り付けられるナット体でなるパッキン押圧部材７とを備えている。そして、図２のように、主管１００を挟んで配備した継手本体１と取付具５とをボルト・ナット６で締め付けてその継手本体１を主管１００に取り付けることによって、主管１００の管壁に開設された通口１１０に、継手本体１の接続筒部１２の内部通路によって形成されている連通路１３が連通される。また、図１又は図２で判るように、継手本体１のサドル部１１には主管１００の通口１１０の周囲でその管壁外面に液密に密着して水漏れを防ぐシールパッキン１４が保持されているのに対し、取付具５にはその取付具５と主管１００の管壁との間に挟み込まれるシート材５１が保持されている。
【００１９】
図１を参照して上記接続筒部１２の構成をさらに詳細に説明する。この接続筒部１２の端部内周面に外拡がりテーパ状のパッキン座面１５が形成されていて、接続筒部１２の外周の雄ねじにねじ合わされた上記パッキン押圧部材７のパッキン押圧面７１とそのパッキン座面１５との間に弾力性を有するリング状のパッキン８が挟持されている。なお、この実施形態では、パッキン押圧面７１とパッキン８との間にポリエチレンなどの滑り性に優れる材料によって形成されたシート状の滑りワッシャ８１が挾み込まれている。さらに、接続筒部１２は、パッキン座面１５の内端に連続する円筒状内壁面１６の囲繞空間部によって形成された径大空間部１７と、上記円筒状内壁面１６の端部に連続して形成された段付面１８と、この段付面１８を介して上記円筒状内壁面１６に連続している円筒状内壁面１９の囲繞空間部によって形成された上記連通路１３とを備えている。そして、パッキン座面１５の内端に連続する円筒状内壁面１６が、後述する管体（新設の排水管などに相当する）２００の外周径よりも径大に形成されているのに対し、無負荷時の上記パッキン８の内径がその管体２００の外周径よりも径小に形成されている。さらに、上記段付面１８は、管体２００に突き当たってその管体の差込み代を規制する作用を発揮するものである。
【００２０】
以上の構成を備える継手Ａを図２〜図４のように主管１００に取り付けた後、パッキン押圧部材７を緩めた状態で管体２００をパッキン８を通して継手本体１の接続筒部１２に挿入すると、その管体２００がその管壁に外嵌合したパッキン８によって支えられる。そのため、図２のようにパッキン８の変形を伴わせてその管体２００を傾けることが可能であり、そのように管体２００を傾けたときには、その管体２００の端部管壁２１０が接続筒部１２の径大空間部１７内で振れる。この場合、径大空間部１７を形作っている円筒状内周面１６は管体２００の外周径よりも径大になっているので、その径大空間部１７がその管体２００の端部管壁２１０の振れ代吸収スペースとして作用することになる。
【００２１】
ところで、接続筒部１２に管体２００を挿入してその管体２００と主管１００を接続する場合に、接続筒部１２の内周面と管体２００との間に隙間を確保することは一般的に行われることであるけれども、その場合の隙間は、管体２００の挿入を可能にするために不可欠な狭小な隙間であって、管体２００の端部管壁２１０の振れ代吸収スペースとして役立つ程度に広く確保された隙間ではない。これに対し、この実施形態では、接続筒部１２の円筒状内壁面１６と管体２００との間の隙間を一般的な上記隙間よりも広く確保してあり、そうすることによって、管体２００に水流れ勾配を付与することができる程度にその管体２００を傾けることができるようにしてある。
【００２２】
したがって、上記継手Ａでは、パッキン８を通して接続筒部１２に挿入した管体２００を傾けてその管体２００に所定の水流れ勾配θを付与することが可能であり、そのような水流れ勾配を付与した後に、パッキン押圧部材７を回転して締め付けてそのパッキン押圧面７１でパッキン８を軸方向に圧縮すると、パッキン座面１５の作用でパッキン８が縮径して管体２００の管壁に密着してその箇所からの水漏れが防止される。この場合に、パッキン押圧部材７のパッキン押圧面７１とパッキン８との間には滑りワッシャ８１が挾み込まれているので、パッキン押圧部材７の回転が直接にパッキン８に伝わってパッキン８がねじれるという事態が起こらない。そのために、パッキン８による所期の水漏れ防止性能が損なわれることはない。
【００２３】
なお、図２では、管体２００を主管１００の管軸に対して直角方向に傾けた事例を示しているけれども、管体２００を傾ける方向は、主管１００の管軸に沿う方向やその他の任意の方向を選択することが可能である。したがって、上記継手Ａは、主管１００が多層住宅の既設の縦管に、水回り箇所から延び出た排水管としての水流れ勾配を持つ管体２００を新設して接続する場合や、横引き管としての主管１００に、排水管としての水流れ勾配を持つ管体２００を新設して接続する場合などに用いることができる。
【００２４】
以上説明した実施形態では、パッキン押圧部材７にナット体を用いることによって、そのパッキン押圧部材７を継手本体１の接続筒部１２にねじ結合するものを例示した。この点に関し、パッキン押圧部材７にはグリップタイプのものを用いることも可能であり、その事例を図５に示してある。すなわち、図５はグリップタイプのパッキン押圧部材７を用いた継手Ａの使用状態を示した側面図である。このものでは、同図のように、継手本体１に鍔部２１が設けられていて、この鍔部２１とパッキン押圧面７１を備えるフランジ状のグリップによって形成されたパッキン押圧部材７とがボルト・ナット６１によって結合され、かつ、そのボルト・ナット６１を締め付けることによって、上記グリップ（パッキン押圧部材７）のパッキン押圧面７１がパッキン８を軸方向に押圧して圧縮している。これの構成を採用すると、パッキン押圧部材７としてのグリップの回転を伴わずにパッキン８が圧縮されるので、パッキン８がその軸線回りにねじられるという事態が起こらくなってパッキン８の所期の水漏れ防止性能が損なわれることはない。その他の事項、たとえば接続筒部１２の構成やパッキン８などについては、図１〜図４を参照して説明したところと同様である。したがって、それらを図示省略して説明の重複を回避した。また、図１〜図４で説明した要素と同一又は相応する部分を示す場合には、それと同一符号を用いて説明の重複を回避した。
【図面の簡単な説明】
【００２５】
【図１】左半分は本発明の実施形態に係る継手の平面図、右半分は本発明の実施形態に係る継手の横断平面図である。
【図２】使用状態の横断平面図である。
【図３】使用状態の正面図である。
【図４】使用状態の側面図である。
【図５】グリップタイプのパッキン押圧部材を用いた継手の使用状態を示した側面図である。
【符号の説明】
【００２６】
１  継手本体
７  パッキン押圧部材
８  パッキン
１２  接続筒部
１３  連通路
１５  パッキン座面
１６  円筒状内壁面
１７  径大空間部
１８  段付面
６１  ボルト・ナット
８１  滑りワッシャ
１００  主管（相手方管）
１１０  通口
２００  管体
２１０  管体の端部管壁
【図１】
2006177408.tif 000003
【図２】
2006177408.tif 000004
【図３】
2006177408.tif 000005
【図４】
2006177408.tif 000006
【図５】
2006177408.tif 000007